(57)【要約】【課題】圧縮画像を展開して表示する際には、通常は、その都度圧縮画像を展開して表示を行なっている。そのため、圧縮画像の展開に時間がかかり画像を表示するまでに時間がかかってしまうという問題があった。【解決手段】蓄積した圧縮画像データを展開してフルＨＤサイズデータとするが、画像出力すべきフルＨＤサイズデータが自身に蓄積されている場合には圧縮画像データの蓄積に関わらず優先的にそのフルＨＤサイズデータを用いて画像出力し、画像出力された画像のフルＨＤサイズデータは蓄積しておくことを特徴とする画像記録再生装置を提案する。また、接続されている表示装置の画面サイズ情報を取得し、画面サイズ情報で示される画面サイズがフルＨＤサイズでない場合には、画像出力されるフルＨＤサイズデータを画面サイズのデータにリサイズして出力するようになっていてもよい。【選択図】図１
2008193169.tif 000002
【特許請求の範囲】
【請求項１】
圧縮画像データを蓄積する圧縮画像データ蓄積部と、
蓄積されている圧縮画像データを展開してフルＨＤサイズデータとする展開部と、
画像出力すべきフルＨＤサイズデータが自身に蓄積されている場合には圧縮画像データの蓄積に関わらず優先的にそのフルＨＤサイズデータを用いて画像出力する画像出力部と、
画像出力部から出力された画像のフルＨＤサイズデータを蓄積するフルＨＤサイズデータ蓄積部と、を有する画像記録再生装置。
【請求項２】
接続されている表示装置の画面サイズ情報を取得する画面サイズ情報取得部と、
前記取得した画面サイズ情報で示される画面サイズがフルＨＤサイズでない場合には、画像出力部から出力されるフルＨＤサイズデータを画面サイズ情報により示される画面サイズのデータにリサイズしてリサイズデータを出力するリサイズデータ出力部と、
をさらに有する請求項１に記載の画像記録再生装置。
【請求項３】
圧縮画像データを蓄積する圧縮画像データ蓄積ステップと、
蓄積されている圧縮画像データを展開してフルＨＤサイズデータとする展開ステップと、
画像出力すべきフルＨＤサイズデータが自身に蓄積されている場合には圧縮画像データの蓄積に関わらず優先的にそのフルＨＤサイズデータを用いて画像出力する画像出力ステップと、
画像出力ステップにて出力された画像のフルＨＤサイズデータを蓄積するフルＨＤサイズデータ蓄積ステップと、を有する画像記録再生方法。
【発明の詳細な説明】
【技術分野】
【０００１】
圧縮画像データを展開して表示装置へ表示する際の表示速度を速めることが可能な画像記録再生装置に関する。
【背景技術】
【０００２】
画像データを圧縮する方式として、ＪＰＥＧ（Ｊｏｉｎｔ  Ｐｈｏｔｏｇｒａｐｈｉｃ  Ｅｘｐｅｒｔｓ  Ｇｒｏｕｐ）やＧＩＦ（Ｇｒａｐｈｉｃｓ  Ｉｎｔｅｒｃｈａｎｇｅ  Ｆｏｒｍａｔ）などの様々な圧縮手法が存在する。さらに、画像を圧縮する際に種々の圧縮パラメータを個別に設定して圧縮する独自の圧縮方法も提供されているが、例えば特許文献１では、このような独自の圧縮方法においてユーザが希望する画質にて画像を圧縮するために複数の異なる条件にて圧縮した画像を伸長して表示し、ユーザに希望する画像を選択させ、選択された画像の圧縮データを蓄積手段に蓄積する発明が開示されている。
【特許文献１】特開２００１−６９５０８号公報
【発明の開示】
【発明が解決しようとする課題】
【０００３】
ところで、圧縮画像を展開（伸長）して表示する際には、通常はその都度圧縮画像を展開して表示を行なっている。そのため、圧縮画像の展開に時間がかかり画像を表示するまでに時間がかかってしまうという問題があった。さらに、表示する際には画像のサイズをディスプレイのサイズに合わせてリサイズする等の処理がその都度必要であった。
【課題を解決するための手段】
【０００４】
そこで本発明においては、蓄積した圧縮画像データを展開してフルＨＤサイズデータとするが、画像出力すべきフルＨＤサイズデータが自身に蓄積されている場合には圧縮画像データの蓄積に関わらず優先的にそのフルＨＤサイズデータを用いて画像出力し、画像出力された画像のフルＨＤサイズデータは蓄積しておくことを特徴とする画像記録再生装置を提案する。また、接続されている表示装置の画面サイズ情報を取得し、取得した画面サイズ情報で示される画面サイズがフルＨＤサイズでない場合には、画像出力されるフルＨＤサイズデータを画面サイズ情報により示される画面サイズのデータにリサイズしてリサイズデータを出力するようになっていてもよい。
【０００５】
図１は、本発明に係る画像記録再生装置における画像再生方法を示す概念図である。ユーザの表示指示等により圧縮されて蓄積されている圧縮画像（０１０１）を表示する際、一度目の表示においては従来通り圧縮画像データを展開してフルＨＤサイズデータ（１９２０画素×１０８０画素（横×縦））にして出力する。出力されたフルＨＤサイズデータはそのまま、若しくはディスプレイの画面サイズにリサイズしてディスプレイ等へ出力される（０１０２）。また、出力された画像のフルＨＤサイズデータ（０１０４）はハードディスク等の記憶装置（０１０３）に蓄積される。また、再度同じ画像を出力する際には、圧縮画像データを展開して出力するのではなく、記憶装置（０１０３）に蓄積されているフルＨＤサイズデータ（０１０４）を利用して出力を行なう（０１０５）。
【発明の効果】
【０００６】
本発明の画像記録再生装置によれば、一度出力された圧縮画像は展開されフルＨＤサイズで蓄積されており、再度同じ画像を出力する場合には圧縮画像を展開するのではなく蓄積されている展開済みの画像を出力するため、出力するまでの時間が短くなるという効果がある。また、展開済みの画像を蓄積する際にはフルＨＤサイズにしてから蓄積するため、再度出力する際に表示装置の表示サイズがフルＨＤサイズであればリサイズする手間が省ける。これは、近年フルＨＤサイズのディスプレイが増えてきていることを鑑みても、その効果は高いと思われる。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、３などについて説明する。実施形態２は、主に請求項２などについて説明する。
（実施形態１）
【０００８】
（実施形態１：概要）本実施形態は、蓄積した圧縮画像データを展開してフルＨＤサイズデータとするが、画像出力すべきフルＨＤサイズデータが自身に蓄積されている場合には圧縮画像データの蓄積に関わらず優先的にそのフルＨＤサイズデータを用いて画像出力し、画像出力された画像のフルＨＤサイズデータは蓄積しておくことを特徴とする画像記録再生装置について説明する。
【０００９】
（実施形態１：構成）本実施形態に係る画像記録再生装置の機能ブロック図を図２に例示する。画像記録再生装置（０２００）は、「圧縮画像データ蓄積部」（０２０１）と、「展開部」（０２０２）と、「画像出力部」（０２０３）と、「フルＨＤサイズデータ蓄積部」（０２０４）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１１】
「圧縮画像データ蓄積部」（０２０１）は、圧縮画像データを蓄積する。「圧縮画像データ」とは、データ量が小さくなるように圧縮されている画像であればよく、圧縮方式は問わない。例えば、ＪＰＥＧ、ＧＩＦ、ＰＮＧ（Ｐｏｒｔａｂｌｅ  Ｎｅｔｗｏｒｋ  Ｇｒａｐｈｉｃｓ）、ＭＰＥＧ（Ｍｏｖｉｎｇ  Ｐｉｃｔｕｒｅ  Ｅｘｐｅｒｔｓ  Ｇｒｏｕｐ）など一般的によく知られている圧縮方式もあるが、これらのみならず、先に挙げた特許文献（特開２００１−６９５０８号）にも説明されているような種々の圧縮パラメータを個別に設定して圧縮する独自の圧縮方式であってもよい。また、圧縮画像データ蓄積部に蓄積される圧縮画像データは、画像記録再生装置の内部の他の処理機構から取得されるものであってもよいし、画像記録再生装置の外部から取得されるものであってもよい。さらに、蓄積されるタイミングは、あらかじめ蓄積しておくのみならず表示指示があったことをトリガーとして外部の装置から取得する等となっていてもよい。また、圧縮画像データはハードディスクなどの所定の記憶装置に蓄積されればよい。この際の記憶装置の種類は特定のものに限らない。
【００１２】
「展開部」（０２０２）は、蓄積されている圧縮画像データを展開してフルＨＤサイズデータとする。「蓄積されている圧縮画像データ」とは、圧縮画像データ蓄積部（０２０１）に蓄積されている圧縮画像データを指す。「展開」とは、圧縮画像データを元の画像データに戻すことであり、一般的に「伸長」などとも言われる処理である。圧縮画像データの展開方法については各圧縮方式に準じればよく一般的によく知られている技術であるので詳細な説明は割愛するが、例えばＪＰＥＧであれば、圧縮信号をエントロピー復号して量子化ＤＣＴ係数を復元し、さらに逆量子化によってＤＣＴ係数を得る。さらに、ＤＣＴ係数を逆ＤＣＴすることによりレベルシフトした画素値が復元され、これを逆レベルシフトすることにより元画像を得ることができる。なお、ＪＰＥＧは不可逆圧縮であるため、復元された元画像は完全には元に戻らず劣化を伴うことが知られている。「フルＨＤサイズデータとする」は、フルＨＤサイズ（１９２０画素×１０８０画素（横×縦）。以下同様。）のサイズに合わせて拡大縮小することを意味する。拡大縮小の方法は、元の画像のサイズによっても様々な方法が考えられる。
【００１３】
図３に、元画像の拡大縮小方法を例示する。なお、フルＨＤサイズのディスプレイ等へ画像を出力する場合を想定している。（ａ）は、元画像（０３０１ａ）のサイズが１２８０×７２０（横画素×縦画素を意味する。以下同様。）であり、フルＨＤサイズと同じ横縦比率１６：９の画像である。このような場合は、（ａ’）に示すように横縦比を保ったまま全体的にフルＨＤサイズまで拡大すればよい。元画像はフルＨＤサイズよりも大きい画像でありフルＨＤサイズに合わせて縮小する場合も同様である。（ｂ）は、元画像（０３０１ｂ）のサイズが１２８０×９６０（横縦比率４：３）であり、フルＨＤサイズよりも縦長の画像である。このような場合、例えば（ｂ’）に示すように画像全体がフルＨＤサイズに収まるように、縦が１０８０画素となるまで横縦比率を保ったまま画像全体を拡大する。その場合は横が１４４０画素となるため、拡大した画像をディスプレイ等へ出力する際には、例えば拡大画像を画面の中央に配置し画像の左右を黒で塗りつぶした領域（０３０３）とする。若しくは、元画像の一部を切り取っても差し支えない場合は、（ｂ’’）に示すように元画像を横１９２０画素となるまで横縦比率を保ったまま画像全体を拡大し、縦にはみ出る部分（０３０４）を切り取るようになっていてもよい。また、画像を切り取る場合にはユーザが切り取る箇所を指定するようになっていてもよいし、画像記録再生装置が画像のコントラストなどから切り取るべき箇所を判断して自動的に切り取り処理を行なうようになっていてもよい。さらに、（ｂ’）の方法と（ｂ’’）の方法を組み合わせ、画像をフルＨＤサイズよりも若干大きめになるよう拡大し、画面からはみ出る部分を切り取ってかつ画像が表示されない領域を黒で塗りつぶした領域とするようになっていてもよい。また、（ｃ）は元画像（０３０１ｃ）のサイズが１４４０×７２０（横縦比率２：１）であり、フルＨＤサイズよりも横長の画像である場合を示している。このような場合も（ｂ）と同様、（ｃ’）に示すように画像全体がフルＨＤサイズに収まるように横縦比率を保ったまま拡大し、拡大画像を画面中央に配置して画像の上下を黒で塗りつぶした領域（０３０５）としたり、（ｃ’’）に示すように元画像を縦１０８０画素となるまで横縦比率を保ったまま画像全体を拡大し、横にはみ出る部分（０３０６）を切り取るようになっていてもよい。
【００１４】
また、展開部にて展開した画像データは後述するようにフルＨＤサイズデータ蓄積部（０２０３）にて蓄積されることが想定されるが、その際には図４に例示するような管理テーブルに蓄積した画像データを登録するようになっていてもよい。図４に例示する管理テーブルは、展開したデータを識別するための「データ識別子」と、元の圧縮ファイルを示す「圧縮ファイル名」と、フルＨＤサイズデータ蓄積部（０２０４）に蓄積した日時を示す「保存日時」を関連付けて保持する。展開部にて圧縮画像を展開し後述するフルＨＤサイズデータ蓄積部（０２０４）にて蓄積する際には、この管理テーブルに蓄積したデータの情報を追加若しくは更新する。このような管理テーブルを保持しておくことで、画像出力部（０２０３）での説明にて詳述するように、フルＨＤサイズデータが自身に蓄積されているかどうかを判断することが可能となる。
【００１５】
図５は、展開部のハードウェア上における処理の具体例を示す。まず、圧縮画像データ‘ｄａｔａ０１０．ｊｐｇ’（０５０５）はハードディスク（圧縮画像データ蓄積部に該当）に蓄積されているものとする。展開部においては、まず、ハードディスクやＲＯＭ（Ｒｅａｄ  Ｏｎｌｙ  Ｍｅｍｏｒｙ）等の記憶装置に格納されている展開プログラムがメインメモリに格納される（０５０１）。また、ハードディスクに記憶されている圧縮画像データ‘ｄａｔａ０１０．ｊｐｇ’（０５０５）もメインメモリに格納される（０５０２）。メインメモリに格納された展開プログラムによって圧縮画像データ‘ｄａｔａ０１０．ｊｐｇ’が展開され、展開された元画像データ（ｄａｔａ０１０）がメインメモリに格納され（０５０３）、さらにハードディスク等へ格納される（０５０４）。なお、図５を用いて説明したハードウェア上の処理はあくまで処理の概要を説明するものである。（明細書の全体を通じて同様である。）
【００１６】
「画像出力部」（０２０３）は、画像出力すべきフルＨＤサイズデータが自身に蓄積されている場合には圧縮画像データの蓄積に関わらず優先的にそのフルＨＤサイズデータを用いて画像出力する。「画像出力すべきフルＨＤサイズデータが自身に蓄積されている」とは、後述するフルＨＤサイズデータ蓄積部（０２０４）にてフルＨＤサイズデータが蓄積されている、という意味である。フルＨＤサイズデータ蓄積部（０２０４）にフルＨＤサイズデータが蓄積されているか判断するためには、図４に例示した管理テーブルを利用するとよい。管理テーブルに画像ファイル名やデータ識別子に存在すれば、フルＨＤサイズデータが蓄積されていることになる。また、「そのフルＨＤサイズデータ」とは蓄積されているフルＨＤサイズデータを指すが、「優先的にそのフルＨＤサイズデータを用いて画像出力する」とは、フルＨＤサイズデータが蓄積されている場合に必ずそのフルＨＤサイズデータを出力するのみならず、蓄積されているフルＨＤサイズデータを利用すべき条件をクリアした場合のみ優先して利用することをも意味する。例えば、図４に例示した「保存日時」がある一定期間以前の日時である場合にはフルＨＤサイズデータが古すぎる（圧縮画像が更新されている）可能性もあるため利用しない場合が考えられる。また、蓄積されているフルＨＤサイズデータを利用しない場合には、圧縮画像データ蓄積部（０２０１）に蓄積されている圧縮画像データを展開部（０２０２）にて展開してフルＨＤサイズデータとし、そのフルＨＤサイズデータを出力するようになっていてもよい。「圧縮画像データの蓄積に関わらず」とは、圧縮画像データ蓄積部（０２０１）にて圧縮画像データが蓄積されているか否かにも関わらず、の意味であり、圧縮画像データ蓄積部（０２０１）にて圧縮画像データが蓄積されているか否かを確認してもよいし、確認しなくともよい。また、「出力」とはディスプレイ等の表示装置に出力するのみならず、画像記録再生装置の内部の別の処理機構に出力する場合等も含む概念である。
【００１７】
「フルＨＤサイズデータ蓄積部」（０２０４）は、画像出力部から出力された画像のフルＨＤサイズデータを蓄積する。「画像出力部から出力された画像のフルＨＤサイズデータを蓄積する」とは、画像出力部（０２０３）にて画像が出力された後に出力画像のフルＨＤサイズデータを蓄積するようになっていてもよいし、展開部（０２０２）にて圧縮画像を展開してフルＨＤサイズデータとした後であって画像出力部にて画像を出力する前に蓄積するようになっていてもよい。しかしながら、圧縮画像の元画像はなるべく早く画像出力部（０２０３）にて出力されたほうが好ましいと思われるため、画像出力を行なってからフルＨＤサイズデータを蓄積するようになっているほうが好ましいとも思われる。また、出力すべきフルＨＤサイズデータがすでにフルＨＤサイズデータ蓄積部に蓄積されている場合には原則はフルＨＤサイズデータをあらためて蓄積する必要はないとも思われるが、例えば図４の管理テーブルの「保存日時」がある一定期間以前に保存されたものである場合には蓄積し直すようになっていてもよい。また、フルＨＤサイズデータはハードディスクなどの所定の記憶装置に蓄積されるが、この際の記憶装置の種類は特定のものに限らない。
【００１８】
また、以上の説明においては一枚の圧縮画像データによって一枚のフルＨＤサイズデータが出力され蓄積されることを前提に説明してきたが、別の実施例として、複数の圧縮画像データによって１枚のフルＨＤサイズデータが生成される場合について説明する。図１１は、複数のサムネイル画像が表示装置に表示される場合を例示している。また、サムネイル画像の周辺は黒で塗りつぶされて（１１０１）表示される場合を示している。このような場合、一旦、複数のサムネイル画像が表示装置に表示された際には、サムネイル画像と黒の領域を含む画面全体（１１０２）を一枚のフルＨＤサイズデータとして蓄積しておく。再度同じ画面を表示することが要求された場合には、蓄積されたフルＨＤサイズデータを利用して画面に出力する。複数のサムネイル画像を表示装置に表示する場合には、各サムネイル画像が圧縮画像であれば展開して表示する必要があり、圧縮画像でなくとも複数のサムネイル画像を描画する時間が必要となるため、画面全体を一枚のフルＨＤサイズデータとして蓄積しておくことでサムネイル画像を表示するまでの時間が大幅に短縮されることが期待できる。
【００１９】
（実施形態１：処理の流れ）図６は、本実施形態に係る画像記録再生装置における処理の流れを示すフロー図を例示する。
【００２０】
最初に、圧縮画像の出力要求が受付けられる（Ｓ０６０１）。次に、要求された画像のフルＨＤサイブデータが蓄積されているか判断する（Ｓ０６０２）。ここでの判断結果が蓄積されているとの判断結果であった場合には、優先的にそのフルＨＤサイズデータを用いて画像出力する（Ｓ０６０５）。また、ここでの判断結果が蓄積されていないとの判断結果であった場合には、（外部から圧縮画像データを取得する場合には）圧縮画像データを蓄積し（Ｓ０６０３）、蓄積されている圧縮画像データを展開してフルＨＤサイズデータとする（Ｓ０６０４）。さらに、展開したフルＨＤサイズデータを用いて画像出力する（Ｓ０６０５）。次に、出力された画像のフルＨＤサイズデータを蓄積する（Ｓ０６０６）。
【００２１】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２２】
（実施形態１：効果）本実施形態に係る画像記録再生装置によれば、一度出力した画像のフルＨＤサイズデータを蓄積し、再度画像出力する際には蓄積されたフルＨＤサイズデータを利用するため、圧縮画像データを展開する手間が省け、出力するまでの時間を短くすることができる。また、展開した画像データはフルＨＤサイズデータとして蓄積されるため、フルＨＤサイズの表示装置に出力する場合には画面サイズに合わせて画像をリサイズする手間が省ける。特にＤＶＤ装置などのＡＶ機器においてはテレビジョン装置における画像表示スピードと同程度の画像表示スピードが期待されると思われるため、本実施形態に係る画像記録再生装置は特にＡＶ機器では好適である。
（実施形態２）
【００２３】
（実施形態２：概要）本実施形態は、画像記録再生装置に接続されている表示装置の画面サイズ情報を取得し、取得した画面サイズ情報で示される画面サイズがフルＨＤサイズでない場合には、画像出力されるフルＨＤサイズデータを画面サイズ情報により示される画面サイズのデータにリサイズしてリサイズデータを出力することを特徴とする画像記録再生装置について説明する。
【００２４】
（実施形態２：構成）本実施形態に係る画像記録再生装置の機能ブロック図を図７に例示する。画像記録再生装置（０７００）は、「圧縮画像データ蓄積部」（０７０１）と、「展開部」（０７０２）と、「画像出力部」（０７０３）と、「フルＨＤサイズデータ蓄積部」（０７０４）と、「画面サイズ情報取得部」（０７０５）と、「リサイズデータ出力部」（０７０６）と、を有する。「画面サイズ情報取得部」（０７０５）と「リサイズデータ出力部」（０７０６）以外の構成については前述した通りであるので、ここでの説明は省略する。
【００２５】
「画面サイズ情報取得部」（０７０５）は、接続されている表示装置の画面サイズ情報を取得する。「画面サイズ情報」は、表示装置の画面サイズを示す情報である。図８に画面サイズ情報の具体例を示す。図８の画面サイズ情報によれば、接続されている表示装置の画面サイズは１２８０×９６０であることが分かる。画面サイズ情報取得部は、図８のような画面サイズ情報を表示装置から通信により取得し、メインメモリ等の所定の記憶領域に格納する。
【００２６】
「リサイズデータ出力部」（０７０６）は、前記取得した画面サイズ情報で示される画面サイズがフルＨＤサイズでない場合には、画像出力部から出力されるフルＨＤサイズデータを画面サイズ情報により示される画面サイズのデータにリサイズしてリサイズデータを出力する。「前記取得した画面サイズ情報」とは、画面サイズ情報取得部にて取得した画面サイズ情報を指す。また、「画像出力部から出力されるフルＨＤサイズデータを画面サイズ情報により示される画面サイズのデータにリサイズ」する方法は、図３にて説明した拡大縮小方法と同様に行なわれればよい。なお、図８に例示した画面サイズ情報においては画面サイズが１２８０×９６０であることが示されているので、この場合にはフルＨＤサイズデータを１２８０×９６０のサイズのデータとなるようにリサイズすることとなる。また、フルＨＤサイズデータを縮小する際には画素加算などによって画素数を減少させることが考えられる。例えば、フルＨＤサイズデータ（１９２０×１０８０）を９６０×５４０のサイズに縮小する場合には、隣接する４画素を画素加算等により１つの画素に変換することが想定される。また、「出力」とは主に接続されている表示装置に出力することを想定しているが、必ずしもこれに限るわけではなく、画像記録再生装置の内部の別の処理機構に出力する場合等も含む概念である。また、前記取得した画面サイズ情報で示される画面サイズがフルＨＤサイズである場合にはリサイズする必要がないため、画像出力部から出力されるフルＨＤサイズデータをそのまま出力する等となっていてもよい。
【００２７】
図９は、リサイズデータ出力部のハードウェア上における処理の具体例を示す。まず、フルＨＤサイズデータ‘ｄａｔａ０１０’（０９０６）はハードディスク（フルＨＤサイズデータ蓄積部に該当）に蓄積されているものとする。まず、画面サイズ情報取得部にて、入出力インタフェースを介して接続されている表示装置の画面サイズ情報が取得され、メインメモリに格納される（０９０１）。ここで、画面サイズ情報で示される画面サイズがフルＨＤサイズではないため、リサイズデータ出力部において、ハードディスクやＲＯＭ等の記憶装置に格納されているリサイズプログラムがメインメモリに格納される（０９０２）。また、ハードディスクに記憶されているフルＨＤサイズデータ‘ｄａｔａ０１０’（０９０６）もメインメモリに格納される（０９０３）。メインメモリに格納されたリサイズプログラムによってフルＨＤサイズデータ‘ｄａｔａ０１０’がリサイズされ、リサイズデータがメインメモリに格納され（０９０４）、さらに入出力インタフェースを介して表示装置等へ出力される（０９０５）。
【００２８】
（実施形態２：処理の流れ）図１０は、本実施形態に係る画像記録再生装置における処理の流れを示すフロー図を例示する。
【００２９】
最初に、圧縮画像の出力要求が受付けられる（Ｓ１００１）。次に、要求された画像のフルＨＤサイブデータが蓄積されているか判断する（Ｓ１００２）。ここでの判断結果が蓄積されているとの判断結果であった場合には、優先的にそのフルＨＤサイズデータを用いて画像出力する（Ｓ１００５）。また、ここでの判断結果が蓄積されていないとの判断結果であった場合には、（外部から圧縮画像データを取得する場合には）圧縮画像データを蓄積し（Ｓ１００３）、蓄積されている圧縮画像データを展開してフルＨＤサイズデータとする（Ｓ１００４）。さらに、展開したフルＨＤサイズデータを用いて画像出力する（Ｓ１００５）。次に、出力された画像のフルＨＤサイズデータを蓄積する（Ｓ１００６）。次に、接続されている表示装置の画面サイズ情報を取得する（Ｓ１００７）。次に、取得した画面サイズ情報で示される画面サイズがフルＨＤサイズであるか判断する（Ｓ１００８）。ここでの判断結果がフルＨＤサイズではないとの判断結果である場合には、フルＨＤサイズデータを画面サイズのデータにリサイズしてリサイズデータを出力する（Ｓ１００９）。ここでの判断結果がフルＨＤサイズであるとの判断結果である場合には、フルＨＤサイズデータをそのまま出力する（Ｓ１０１０）。
【００３０】
（実施形態２：効果）本実施形態に係る画像記録再生装置によれば、フルＨＤサイズデータを接続された表示装置に適するようにリサイズして出力することができる。
【図面の簡単な説明】
【００３１】
【図１】本発明に係る画像記録再生装置における画像再生方法の概念図
【図２】実施形態１に係る画像記録再生装置の機能ブロック図
【図３】元画像の拡大縮小方法の一例図
【図４】管理テーブルの一例図
【図５】展開部のハードウェア上における処理動作の一例図
【図６】実施形態１に係る画像記録再生装置の処理の流れを示すフロー図
【図７】実施形態２に係る画像記録再生装置の機能ブロック図
【図８】画面サイズ情報の一例図
【図９】リサイズデータ出力部のハードウェア上における処理動作の一例図
【図１０】実施形態２に係る画像記録再生装置の処理の流れを示すフロー図
【図１１】他の実施例を説明する図
【符号の説明】
【００３２】
０１０１  圧縮画像
０１０２  画像出力時のディスプレイ
０１０３  記憶装置
０１０４  フルＨＤサイズデータ
０１０５  画像再出力時のディスプレイ
【図１】
2008193169.tif 000003
【図２】
2008193169.tif 000004
【図３】
2008193169.tif 000005
【図４】
2008193169.tif 000006
【図５】
2008193169.tif 000007
【図６】
2008193169.tif 000008
【図７】
2008193169.tif 000009
【図８】
2008193169.tif 000010
【図９】
2008193169.tif 000011
【図１０】
2008193169.tif 000012
【図１１】
2008193169.tif 000013